(57)【要約】【課題】サウナ浴者が発汗し皮膚表面にある汗を素早く気化して蒸発させサウナ浴者の体から効率良く気化熱を奪うサウナシステムを提供することを目的とする。【解決手段】浴室１の空気を加湿する加湿手段２と、浴室１の湿度状態を検出する湿度センサー１１と、加湿手段２を制御するサウナ側制御手段３とを設けたサウナ装置４と、浴室１の空気を加熱する加熱手段５と、浴室１の温度状態を検出する温度センサー１３と、浴室１の空気を循環する循環送風手段９と、送風方向を誘導する風向手段３０と、加熱手段５と循環送風手段９を制御する乾燥機側制御手段７とを設けた浴室乾燥機８とを備え、サウナ浴者６が十分に発汗した後で、加湿手段２を停止させて加熱生成された温風を風向手段３０によりサウナ浴者６に向けて送風することにより気化熱を奪い肥満減量を促進する。【選択図】図１
2005218480.tif 000002
【特許請求の範囲】
【請求項１】
浴室の空気を加湿する加湿手段と、浴室の湿度状態を検出する湿度センサーと、前記加湿手段を制御するサウナ側制御手段とを設けたサウナ装置と、浴室の空気を加熱する加熱手段と、浴室の温度状態を検出する温度センサーと、浴室の空気を循環する循環送風手段と、送風方向を誘導する風向手段と、前記加熱手段と前記循環送風手段を制御する乾燥機側制御手段とを設けた浴室乾燥機とを備え、サウナ浴者が発汗した後で、前記加湿手段を停止させて加熱生成された温風を前記風向手段により前記サウナ浴者に向けて送風することにより気化熱を奪うことを特徴とするサウナシステム。
【請求項２】
浴室の空気を換気する換気手段を乾燥機側制御手段に接続し、風向手段によりサウナ浴者へ向けて前記浴室の空気を送風するときに、前記換気手段により外気を導入する構成とし、サウナ浴者の皮膚表面にある汗を素早く蒸発させるとともに、クールダウンを行うことを特徴とする請求項１記載のサウナシステム。
【請求項３】
送風方向を可変する風向可変手段として可変可能な風向板を浴室乾燥機に取付け、サウナ浴者が発汗した後に循環送風手段を運転し、かつ送風を前記サウナ浴者へ向けるために前記風向板を可変動作させることで、サウナ浴者の身体全体に送風し皮膚表面にある汗をより素早く蒸発させるとともに、サウナ浴者のクールダウンを素早く行うことを特徴とする請求項１または２記載のサウナシステム。
【請求項４】
乾燥機側制御手段内に予め設定された運転パターンを記憶したタイマーを設け、このタイマーの運転パターンにより、浴室乾燥機およびサウナ装置を自動運転する構成とし、サウナ浴者が設定することなく、発汗を促進するサウナ状態と皮膚表面の汗を蒸発させて前記サウナ浴者から効率よく気化熱を奪う状態を繰り返す反復浴を簡単に行うことを特徴とする請求項１から３のいずれかに記載のサウナシステム。
【請求項５】
サウナ装置と浴室乾燥機の運転および停止、温度設定、時間設定、運転モード設定をすることができる設定スイッチと、この設定スイッチの設定を記憶させることができる複数のお好みスイッチを設けた操作部Ａを乾燥機側制御手段に接続し、かつサウナ浴者が操作できるように浴室に取り付ける構成とし、複数人の好みの反復浴時間を個別に設定し、複数人の好みの反復浴を簡単に嗜めるようにすることを特徴とする請求項１から３のいずれかに記載のサウナシステム。
【請求項６】
サウナ装置と浴室乾燥機の運転および停止、温度設定、時間設定、運転モード設定をすることができる設定スイッチと、この設定スイッチの設定を記憶させることができる複数のお好みスイッチと、前記お好みスイッチの過去のデータを記憶している学習スイッチを設けた操作部Ｂを乾燥機側制御手段に接続し、かつサウナ浴者が操作できるように浴室に取り付ける構成とし、サウナ浴者が反復浴時間の設定を気にすることなしに、サウナ浴者自身の反復浴を嗜んだ過去の習慣より好みの反復浴時間が調整設定され反復浴が簡単に嗜めるようにすることを特徴とする請求項１から３のいずれかに記載のサウナシステム。
【請求項７】
乾燥機側制御手段に接続した発汗量測定手段をサウナ浴者に取りつけ発汗量を測定する構成とし、前記サウナ浴者の発汗量に応じて、最適な皮膚表面の汗を蒸発させる運転パターンで自動的にサウナ装置と浴室乾燥機を運転することを特徴とする請求項１から３のいずれかに記載のサウナシステム。
【請求項８】
体脂肪率付き体重計を乾燥機側制御手段に接続し、サウナ浴者の体脂肪率、体重を測定できる構成とし、測定値に応じて前記乾燥機側制御手段が最適なサウナ装置と浴室乾燥機の運転パターンを計算し、前記サウナ浴者の発汗、皮膚表面の汗の効率的な蒸発を行うことを特徴とする請求項１から３のいずれかに記載のサウナシステム。
【請求項９】
報知手段を乾燥機側制御手段に接続し、サウナ浴者へ情報を提供できる構成とし、反復浴を長時間嗜みやすくしたことを特徴とする請求項１から８のいずれかに記載のサウナシステム。
【請求項１０】
浴室内にベッドを備え付けた構成とし、サウナ装置と浴室乾燥機を運転させているときに前記ベッドにサウナ浴者が横臥することで、長時間リラックスしてサウナ浴を受けやすくしたことを特徴とする請求項１から９のいずれかに記載のサウナシステム。
【発明の詳細な説明】
【技術分野】
【０００１】
本発明は、浴室に使用されるサウナ装置と浴室乾燥機からなるサウナシステムに関する。
【背景技術】
【０００２】
従来、この種のサウナシステムの一例として、浴室を利用して日本古来の釜風呂のように比較的低温多湿のサウナ空間を作るものが知られている（例えば特許文献１参照）。
【０００３】
以下、そのサウナシステムについて図１５を参照しながら説明する。
【０００４】
図に示すように、加温装置と加湿装置を内蔵したサウナ装置本体１０１が浴室１０２内に設置され、サウナ装置本体１０１に設けた吸い込み口１０３、１０３ａより空気を取り入れ、サウナ装置本体１０１に設けた吐き出し口１０４、１０４ａよりサウナ装置本体１０１にて加温や加湿された空気を吹出し吐き出している。
【０００５】
そして、吸い込み口１０３、１０３ａ近辺に設けられた温度センサー１０５、湿度センサー１０６により浴室１０２内の空気の温度や湿度を検出し、浴室１０２内の温度を４３〜６０℃、浴室１０２内の湿度を５０〜８０％というサウナ空間に保つようにサウナ装置本体１０１に内蔵の加温装置と加湿装置を制御している。
【０００６】
また、温度湿度共に高く、湿度も上げようとすると温度も上がってしまい、前記設定の温度湿度に入らないときは換気扇１０７を作動させて、一旦新しい空気を浴室１０２内に取り入れて温度や湿度を下げ、前記設定温度湿度範囲内に保とうとしていた。
【特許文献１】特開平５−３１７３７７号公報
【発明の開示】
【発明が解決しようとする課題】
【０００７】
このような従来のサウナシステムでは、単に発汗を促進するだけで汗が気化する前にかなりの量がサウナ浴者の体より流れ落ちてしまい、サウナ浴の目的の一つであり日本人の多くが嗜む肥満減量浴（社団法人日本サウナ協会ホームページＵＲＬ：ｈｔｔｐ：／／ｗｗｗ．ｓａｕｎａ．ｏｒ．ｊｐ／ｊｓａａｎｎａｉ．ｈｔｍの２００４年１月１４日に掲載された「サウナ健康読本」記載の図５サウナ浴の目的によると男性の１９％は肥満減量目的、女性の３２％が肥満減量全身美容目的となっている。）となる、発汗による一時的な水分の減量ではなく汗を気化して蒸発させサウナ浴者の体より気化熱を奪う効果が弱いという課題があった。
【０００８】
また、肥満減量浴の効果を上げるためにはサウナ浴を繰り返す反復浴が必要（前記「サウナ健康読本」記載の目的別サウナの利用法の肥満減量浴の項参照）で、反復浴を可能とさせ得るサウナ浴者がリフレッシュできるクールダウン状態にさせるためにはサウナ浴者自身が浴室内から一旦浴室外に出るか、特許文献１の実施例の段落番号００１５記載の「・・・浴室内でシャワーを浴びて体を冷やし・・・」とある様に浴室内で冷水を浴びるなど、サウナ浴者がサウナシステムの操作とは関係ない別の行動を起こす必要があり不便であるとともに操作性も悪いという課題があった。
【０００９】
また、浴室内に設けた一つのサウナシステムを嗜むサウナ浴者は、一般に複数人（例えば、家族）であって、各個人の好みに適した反復浴時間の設定が必要であるが、個別に設定できないという課題があった。
【００１０】
また、一般的にサウナ浴者は静止した姿勢でサウナ浴を嗜むので、体感的な爽快感だけでは長時間の反復浴を継続し難いという課題があった。
【００１１】
本発明は上記課題を解決するもので、サウナ浴者から効率良く気化熱を奪い、肥満減量効果の高いサウナシステムを提供することを目的としている。
【００１２】
また、浴室に居ながらにして簡単にサウナ浴者をクールダウン状態にせしめるとともにさらに反復浴が簡単に長時間嗜めるサウナシステムを提供することを目的としている。
【００１３】
また、複数人の好みの反復浴時間を個別に設定でき、複数人の好みの反復浴を簡単に嗜めるサウナシステムを提供することを目的としている。
【課題を解決するための手段】
【００１４】
本発明のサウナシステムは、上記目的を達成するために、浴室の空気を加湿する加湿手段と、浴室の湿度状態を検出する湿度センサーと、前記加湿手段を制御するサウナ側制御手段とを設けたサウナ装置と、浴室の空気を加熱する加熱手段と、浴室の温度状態を検出する温度センサーと、浴室の空気を循環する循環送風手段と、送風方向を誘導する風向手段と、前記加熱手段と前記循環送風手段を制御する乾燥機側制御手段とを設けた浴室乾燥機とを備え、サウナ浴者が十分に発汗した後で、前記加湿手段を停止させて加熱生成された温風を前記風向手段により前記サウナ浴者に向けて送風するようにしたものである。
【００１５】
この手段により、サウナ浴者が発汗し皮膚表面にある汗をより素早く気化して蒸発させ、サウナ浴者の体から効率良く気化熱を奪い肥満減量を促進するサウナシステムが得られる。
【００１６】
また他の手段は、浴室の空気を換気する換気手段を乾燥機側制御手段に接続し、風向手段によりサウナ浴者へ向けて前記浴室の空気を送風するときに、前記換気手段により外気を導入する構成とし、サウナ浴者の皮膚表面にある汗を素早く蒸発させるとともに、クールダウンを行うようにしたものである。
【００１７】
この手段により、サウナ浴者が発汗し皮膚表面にある汗をより素早く気化して蒸発させ、サウナ浴者の体から効率良く気化熱を奪うともに浴室に居ながらにして簡単にサウナ浴者のクールダウンも促進できるサウナシステムが得られる。
【００１８】
また他の手段は、送風方向を可変する風向可変手段として可変可能な風向板を浴室乾燥機に取付け、サウナ浴者が発汗した後に循環送風手段を運転し、かつ送風を前記サウナ浴者へ向けるために前記風向板を可変動作させることで、サウナ浴者の身体全体に送風し皮膚表面にある汗をより素早く蒸発させるとともに、サウナ浴者のクールダウンを素早く行うようにしたものである。
【００１９】
この手段により、サウナ浴者が発汗し皮膚表面にある汗をより素早く全身よりむらなく気化して蒸発させ、サウナ浴者の体からさらに効率良く気化熱を奪うサウナシステムが得られる。
【００２０】
また他の手段は、乾燥機側制御手段内に予め設定された運転パターンを記憶したタイマーを設け、このタイマーの運転パターンにより、浴室乾燥機およびサウナ装置の２つの装置を運転操作できる構成としたものである。
【００２１】
この手段により、サウナ浴者が設定することなく、発汗を促進するサウナ状態と皮膚表面にある汗を気化して蒸発させサウナ浴者の体から効率良く気化熱を奪う状態を繰り返す反復浴が簡単に嗜めるサウナシステムが得られる。
【００２２】
また他の手段は、サウナ装置と浴室乾燥機の運転および停止、温度設定、時間設定、運転モード設定をすることができる設定スイッチと、この設定スイッチの設定を記憶させることができる複数のお好みスイッチを設けた操作部Ａを乾燥機側制御手段に接続し、かつサウナ浴者が操作できるように浴室に取り付ける構成とし、複数人の好みの反復浴時間を個別に設定し、複数人の好みの反復浴を簡単に嗜めるようにすることを特徴としたものである。
【００２３】
この手段により、複数人（例えば、家族）の好みの反復浴時間を個別に設定でき、複数人の好みの反復浴を簡単に嗜めるサウナシステムが得られる。
【００２４】
また、他の手段は、サウナ装置と浴室乾燥機の運転および停止、温度設定、時間設定、運転モード設定をすることができる設定スイッチと、この設定スイッチの設定を記憶させることができる複数のお好みスイッチと、前記お好みスイッチの過去のデータを記憶している学習スイッチを設けた操作部Ｂを乾燥機側制御手段に接続し、かつサウナ浴者が操作できるように浴室に取り付ける構成としたものである。
【００２５】
この手段により、サウナ浴者が反復浴時間の設定を気にすることなしに、サウナ浴者自身の反復浴を嗜んだ過去の習慣より好みの反復浴時間が調整設定され反復浴が簡単に嗜めるサウナシステムが得られる。
【００２６】
また、他の手段は、乾燥機側制御手段に接続した発汗量測定手段をサウナ浴者に取りつけ発汗量を測定する構成としたものである。
【００２７】
この手段により、定量的にサウナ浴者の発汗量を検知できるので、タイミング良く最適に汗を素早く気化させサウナ浴者の体からさらに効率良く気化熱を奪うことのできるサウナシステムが得られる。
【００２８】
また、他の手段は、体脂肪率付き体重計を乾燥機側制御手段に接続し、サウナ浴者の体脂肪率、体重を測定できる構成としたものである。
【００２９】
この手段により、体重と体脂肪率からサウナ浴者の発汗量が推定でき、タイミング良く最適に汗を素早く気化させサウナ浴者の体からさらに効率良く気化熱を奪うことのできる、個人個人に最適な肥満減量効果のあるサウナシステムが得られる。
【００３０】
また、他の手段は、報知手段を乾燥機側制御手段に接続し、サウナ浴者へ情報を提供できる構成としたものである。
【００３１】
この手段により、サウナ浴者が体感的な爽快感とは別の情報を刺激として入手し得るので反復浴を長時間嗜むことができるサウナシステムが得られる。
【００３２】
また、他の手段は、浴室内にベッドを備え、このベッドにサウナ浴者が横臥することができる構成としたものである。
【００３３】
この手段により、サウナ浴者が静止した姿勢ではあるが座る以外の自由で楽な姿勢を取れるので反復浴を長時間嗜むことができるサウナシステムが得られる。
【発明の効果】
【００３４】
本発明によれば、サウナ浴者が発汗し皮膚表面にある汗をより素早く気化して蒸発させ、サウナ浴者の体から気化熱を奪い肥満減量を促進することができるサウナシステムを提供できる。
【００３５】
また、浴室に居ながらにしてサウナ浴者のクールダウン状態も促進できるサウナシステムを提供できる。
【００３６】
また、浴室に居ながらにして反復浴が個人あるいは複数人の好みに応じて簡単に嗜めるサウナシステムを提供できる。
【００３７】
また、浴室に居ながらにして反復浴を長時間嗜むことができるサウナシステムを提供できる。
【発明を実施するための最良の形態】
【００３８】
以下、本発明を実施するための最良の形態について、図面を参照しながら説明する。
【００３９】
（実施の形態１）
図１に示すように、浴室１の空気を加湿する加湿手段としての加湿器２と、浴室の湿度状態を検出する湿度センサー１１と、この加湿器２を制御するサウナ側制御手段３とを設けたサウナ装置４と、浴室１の空気を加熱する加熱手段としてのヒーター５と、浴室の温度状態を検出する温度センサー１３と、浴室１の空気を循環する循環送風手段としてのファン９と、このファン９の送風方向を誘導する風向手段としての風向板３０と、ヒーター５とファン９を制御する乾燥機側制御手段７を設けた浴室乾燥機８とを備える。
【００４０】
上記構成において、サウナ装置４は浴室１の天井に設置され、浴室１には加熱加湿空気が供給される開口（図示せず）を設け、浴室乾燥機８も浴室１の天井に設置されたサウナ装置４の近傍に設置され、浴室１には浴室１内の空気を循環する開口を設けて設置し、サウナ装置４のサウナ側制御手段３と浴室乾燥機８の乾燥機側制御手段７を電気的に接続する。
【００４１】
そして、サウナ側制御手段３に内蔵された湿度センサー１１により浴室１の加湿状態を計測することができ、この計測状態に応じて加湿器２を動作させている。また、乾燥機側制御手段７に内蔵された温度センサー１３により浴室１の温度計測を行い、この計測状態に応じてヒーター５、ファン９の制御を行っている。
【００４２】
そして、サウナ浴者６がサウナ浴を受けるときには、サウナ側制御手段３を介して運転し、サウナ装置４から加熱加湿空気を浴室１内に送りサウナ浴が行なわれる。このとき、サウナ側制御手段３から乾燥機側制御手段７に浴室乾燥機８が暖房運転を行なうように信号が送られ、浴室乾燥機８は、ヒーター５とファン９を運転させながらサウナ装置４を運転して加湿を行なうことで、サウナ浴の立ち上がり時間が短縮することになる。そして、サウナ浴者６が十分に発汗した後で、加湿器２を停止させて、ヒーター５とファン９により加熱生成された温風を風向板３０にてサウナ浴者６に向けて送風することにより、サウナ浴者６の皮膚表面の汗を素早く蒸発させて、サウナ浴者６の体から気化熱を奪い肥満減量を促進することができる。
【００４３】
そして、サウナ装置４と浴室乾燥機８は浴室１の天井の一面に配設されることにより施工性も良く、サウナ装置４と浴室乾燥機８はサウナ側制御手段３と乾燥機側制御手段７との電気的な接続によりサウナ装置４と浴室乾燥機８との間で互いに通信できることとなり、効率良く運転することができることとなる。
【００４４】
なお、本実施の形態１では、サウナ装置４と浴室乾燥機８が分離したものをサウナシステムとしたが一つの箱体内にサウナ装置４と浴室乾燥機８を一体的に設けても同様の作用効果をもたらすことはいうまでもない。
【００４５】
また、湿度センサー１１、温度センサー１３がそれぞれサウナ側制御手段３と乾燥機側制御手段に内蔵されているが、検知に最適な箇所に取りつけることは言いうまでもない。
【００４６】
また、加熱手段としてヒーター５を用いたが、温水などを用いてもよく、同様の作用効果を奏するものである。
【００４７】
また、風向手段として固定された風向板３０を用いたが、ダクトなどを用いてもよく、同様の作用効果を奏するものである。
【００４８】
また、サウナ装置４のサウナ側制御手段３と浴室乾燥機８の乾燥機側制御手段７の接続は、サウナ側制御手段３に接続される受信手段と送信手段から成るサウナ側送受信手段と、乾燥機側制御手段７に接続される受信手段と送信手段から成る乾燥機側送受信手段を設けることで、ワイヤレス通信も可能である。
【００４９】
（実施の形態２）
図２に示すように、図１の構成に加えて換気手段として換気ファン１４を乾燥機側制御手段７ａに接続して浴室１の換気ができるように構成する。
【００５０】
上記構成において、サウナ浴者６が発汗した後に、ヒーター５は動作させずに、ファン９を運転し風向板３０を用いてサウナ浴者６へ向けて送風させ、かつ換気ファン１４を動作させることで、浴室１内を素早く低温低湿状態にして、サウナ浴者６の皮膚表面にある汗を素早く蒸発させるとともに、サウナ浴者６のクールダウンを行うことができる。
【００５１】
（実施の形態３）
図３に示すように、図１または図2の構成に加えて送風方向を可変する風向可変手段として可変可能な風向板３０ａを浴室乾燥機８ｂに取付ける構成とする。
【００５２】
上記構成において、サウナ浴者６が発汗した後に、ファン９を運転し、かつ送風をサウナ浴者６へ向けるために可変可能な風向板３０ａを動作させることで、サウナ浴者６の身体全体に送風し皮膚表面にある汗をより素早く蒸発させるとともに、サウナ浴者６のクールダウンを素早く行うことができる。
【００５３】
なお、本実施の形態３では、送風方向を可変する風向可変手段として風向板３０ａを用いたが、風向を可変できるものであればノズルなどでもよく、同様の作用効果をもたらすことはいうまでもない。
【００５４】
（実施の形態４）
図４に示すように、図１〜図３のいずれかの構成に加えて、乾燥機側制御手段７ｂにタイマー１６を追加して設けるように構成する。
【００５５】
上記構成において、タイマー１６には予め設定された運転パターンが記憶され、このタイマー１６の運転パターンにより、浴室乾燥機８ｃおよびサウナ装置４を自動運転でき、サウナ浴者６が設定することなく、発汗を促進するサウナ状態と皮膚表面の汗を蒸発させてサウナ浴者６から効率よく気化熱を奪う状態を繰り返す反復浴を簡単に行うことができる。
【００５６】
（実施の形態５）
図５に示すように、図１〜図３のいずれかの構成に加えて、操作部Ａ１７を乾燥機側制御手段７ｃに接続し、かつサウナ浴者６が操作できるように浴室１に取り付ける構成とする。
【００５７】
また、図６に示すように操作部Ａ１７はサウナ装置４、浴室乾燥機８ｄの運転／停止、温度設定、時間設定、運転モード設定をすることができる設定スイッチ１８とこの設定スイッチ１８の設定を記憶させるお好みスイッチ１９から構成されている。
【００５８】
そして、例えば家族等複数人の好みを設定する場合、父親（使用者Ａ）がサウナのスイッチを押すことにより運転が開始され、設定スイッチ１８により好みの温度や時間を設定し、この設定をお好みスイッチ１９の例えば（お好み1）に記憶させる。
【００５９】
次に母親（使用者Ｂ）が設定スイッチ１８により好みの運転モードや温度、時間を設定し、この設定をお好みスイッチ１９の例えば（お好み２）に記憶させる。そして、長男（子供Ａ）は（お好み３）、長女（子供Ｂ）は（お好み４）というように記憶させる。
【００６０】
上記構成において、父親（使用者Ａ）は次回サウナ浴する場合に、このお好みスイッチ１９の（お好み１）を押すことで好みの運転を行うことができる。
【００６１】
同様に母親（使用者Ｂ）は（お好み２）、長男（子供Ａ）は（お好み３）、長女（子供Ｂ）は（お好み４）を押すことで、次回サウナ浴する場合に、好みの運転を行うことができる。
【００６２】
このように、サウナ浴者６が複数人であっても自分の好みに応じて、操作部Ａ１７を操作してサウナ装置４と浴室乾燥機８ｄの運転操作、温度設定、時間設定が自由にでき、しかもその設定をお好みスイッチ１９のいずれかに記憶させることができ、次回サウナ浴する場合に、このお好みスイッチ１９を押すことでサウナ浴者６の好みの運転を行うことができる。
【００６３】
なお、本実施の形態５では、運転モードをサウナで説明したが、サウナに限らず他のモードでも同様の作用効果をもたらすことはいうまでもない。
【００６４】
（実施の形態６）
図７に示すように、図１〜図３のいずれかの構成に加えて、操作部Ｂ２０を乾燥機側制御手段７ｄに接続し、かつサウナ浴者６が操作できるように浴室１に取り付ける構成とする。
【００６５】
また図８に示すように、操作部Ｂ２０はサウナ装置４、浴室乾燥機８ｅの運転／停止、温度設定、時間設定、運転モード設定をすることができる設定スイッチ１８とこの設定スイッチ１８の設定を記憶させるお好みスイッチ１９と学習スイッチ２１から構成されている。学習スイッチ２１は、お好みスイッチ１９の各スイッチ（お好み１、お好み２など）ごとの過去のデータを記憶している。
【００６６】
上記構成において、サウナ浴者６は自分の好みに応じて、操作部Ｂ２０を操作してサウナ装置４と浴室乾燥機８ｅの運転操作、温度設定、時間設定が自由にでき、しかも学習スイッチ２１を押すことにより、サウナ浴者６が操作した運転操作、温度設定、時間設定を自動的に記憶させることができる。
【００６７】
また、図９は本実施形態６のひとつのフローチャート例を表したものである。ステップ１はサウナ装置４の運転、ステップ２はサウナ装置４の運転時間のカウント、ステップ３は浴室乾燥機８ｅの送風運転、ステップ４は浴室乾燥機８ｅの運転時間のカウント、ステップ５はサウナ装置４と浴室乾燥機８ｅの運転回数のカウントを表している。
【００６８】
まずステップ１でサウナ装置４を運転し、ステップ２ではサウナ装置４の運転時間をカウントして、次のステップ３へ移行するまでのサウナ装置４の運転時間がカウントされ、カウントアップした後、次のステップ３へ行き、送風運転が始まる。次にステップ４にて浴室乾燥機８ｅの送風運転時間のカウントが行われる。そして次のステップ５へ移行するまでの浴室乾燥機８ｅの運転時間がカウントされ、カウントアップした後、ステップ５でこれらサウナ装置４と浴室乾燥機８ｅの運転回数をカウントして再度サウナ装置４と浴室乾燥機８ｅを運転するか判断して、規定の回数になった時に終了することとなる。
【００６９】
また、図１０は本実施形態６のひとつの最適パターン推測手法を表したものである。サウナ浴者６が操作部Ｂ２０を用いてサウナ装置４と浴室乾燥機８ｅの一連の運転を複数回行い、その運転時間、回数を平均化して最適な運転パターンを算出することを表現したものである。これによりサウナ浴者６の希望に沿った運転パターンを自動で作り出すことができる。
【００７０】
なおこの例では平均化という手法を用いたが、荷重平均などを用いてもよく同様の作用効果を奏するものである。
【００７１】
なお、本実施の形態では、このようなフローチャート例にて説明しているが、ファジィなど他の手法を用いてもよく同様の作用効果を奏するものである。
【００７２】
（実施の形態７）
図１１に示すように、図１〜図３のいずれかの構成に加えて、発汗量測定手段として発汗量測定センサー２２をサウナ浴者６に取りつけ、かつ乾燥機側制御手段７ｅに接続し、サウナ浴者６の発汗量を測定できるように構成する。
【００７３】
上記構成において、サウナ浴者６の発汗量に応じて、最適な皮膚表面の汗を蒸発させる運転パターンで自動的にサウナ装置４と浴室乾燥機８ｆを運転させることができる。
【００７４】
例えば、発汗量測定センサー２２により測定した発汗量がある量を超えたら加湿器２を停止させて、ヒーター５とファン９により加熱生成された温風を風向板３０にてサウナ浴者６に向けて送風することにより、サウナ浴者６の皮膚表面の汗を素早く蒸発させて、サウナ浴者６の体から気化熱を奪い肥満減量を促進する。
【００７５】
（実施の形態８）
図１２に示すように、図１〜図３のいずれかの構成に加えて、体脂肪率付き体重計２３を乾燥機側制御手段７ｆに接続し、サウナ浴者６の体脂肪率、体重を測定できるように構成する。
【００７６】
上記構成において、サウナ浴者６が体脂肪率付き体重計２３により体脂肪率、体重を測定し、この測定値に応じて乾燥機制御部７ｆが最適なサウナ装置４と浴室乾燥機８ｇの運転パターンを計算し、サウナ浴者６の発汗、皮膚表面の汗の効率的な蒸発を行うことができる。
【００７７】
（実施の形態９）
図１３に示すように、図１〜図５、図７、図１１〜図１２のいずれかの構成に加えて、報知手段として液晶モニター２４とスピーカー２５を乾燥機側制御手段７ｇに接続し、サウナ浴者６へ情報を提供できるように構成する。
【００７８】
上記構成において、液晶モニター２４に例えば砂時計などの表示をして、時間になったらスピーカー２５から音楽が流れたり、チャイムが鳴ったりする。あるいは液晶モニター２４へ外部からのテレビ映像を流したり、ラジオからの音声をスピーカー２５から流すこともできる。
【００７９】
また、この報知手段を用いて、サウナ浴者６へ水分補給のタイミングを知らせることもできる。
【００８０】
なお、報知手段として液晶モニター２４を用いたが、通常のモニター、ＥＬ等でもよく同様の作用効果を奏するものである。
【００８１】
（実施の形態１０）
図１４に示すように、図１〜図５、図７、図１１〜図１３のいずれかの構成に加えて、ベッド２６を浴室１に備え付けた構成とする。
【００８２】
上記構成において、サウナ装置４と浴室乾燥機８を運転させているときにサウナ浴者６が静止した姿勢ではあるが座る以外の自由で楽な姿勢を取れるので長時間、浴室１内でリラックスしてサウナ浴を受けることができる。
【００８３】
なお、ベッドに枕のような凸部を設けてもよく同様の作用効果を奏するものである。
【産業上の利用可能性】
【００８４】
サウナ装置と換気扇等を組み合わせることにより、ある程度の湿気を必要とする野菜等の栽培や、きのこ類の栽培分野等にも適用できる。
【図面の簡単な説明】
【００８５】
【図１】本発明の実施の形態１のサウナシステムの構成を示すブロック図
【図２】本発明の実施の形態２のサウナシステムの構成を示すブロック図
【図３】本発明の実施の形態３のサウナシステムの構成を示すブロック図
【図４】本発明の実施の形態４のサウナ装置と浴室乾燥機の構成を示すブロック図
【図５】本発明の実施の形態５のサウナシステムの構成を示すブロック図
【図６】同操作部Ａの構成を示す構成図
【図７】本発明の実施の形態６のサウナシステムの構成を示すブロック図
【図８】同操作部Ｂの構成を示す構成図
【図９】同制御方法の一例を示すフローチャート
【図１０】同最適運転予測方法を示す運転パターン図
【図１１】本発明の実施の形態７のサウナシステムの構成を示すブロック図
【図１２】本発明の実施の形態８のサウナシステムの構成を示すブロック図
【図１３】本発明の実施の形態９のサウナシステムの構成を示すブロック図
【図１４】本発明の実施の形態１０のサウナシステムの構成を示すブロック図
【図１５】従来のサウナ装置の構成図
【符号の説明】
【００８６】
１      浴室
２      加湿器
３      サウナ側制御手段
４      サウナ装置
５      ヒーター
６      サウナ浴者
７      乾燥機側制御手段
７ａ    乾燥機側制御手段
７ｂ    乾燥機側制御手段
７ｃ    乾燥機側制御手段
７ｄ    乾燥機側制御手段
７ｅ    乾燥機側制御手段
７ｆ    乾燥機側制御手段
７ｇ    乾燥機側制御手段
８      浴室乾燥機
８ａ    浴室乾燥機
８ｂ    浴室乾燥機
８ｃ    浴室乾燥機
８ｄ    浴室乾燥機
８ｅ    浴室乾燥機
８ｆ    浴室乾燥機
８ｇ    浴室乾燥機
８ｈ    浴室乾燥機
９      ファン
１１    湿度センサー
１３    温度センサー
１４    換気ファン
１６    タイマー
１７    操作部Ａ
１８    設定スイッチ
１９    お好みスイッチ
２０    操作部Ｂ
２１    学習スイッチ
２２    発汗量測定センサー
２３    体脂肪率付き体重計
２４    液晶モニター
２５    スピーカー
２６    ベッド
３０    風向板
３０ａ  風向板
【図１】
2005218480.tif 000003
【図２】
2005218480.tif 000004
【図３】
2005218480.tif 000005
【図４】
2005218480.tif 000006
【図５】
2005218480.tif 000007
【図６】
2005218480.tif 000008
【図７】
2005218480.tif 000009
【図８】
2005218480.tif 000010
【図９】
2005218480.tif 000011
【図１０】
2005218480.tif 000012
【図１１】
2005218480.tif 000013
【図１２】
2005218480.tif 000014
【図１３】
2005218480.tif 000015
【図１４】
2005218480.tif 000016
【図１５】
2005218480.tif 000017